(57)【要約】【課題】設置地域のアンテナ、受信環境に適したフィルタ設定を容易に行うことができる混合フィルタ遠隔可変システムを提供することを目的とする。【解決手段】郵便番号取得部９にて取得した郵便番号をもとに混合フィルタ設定部７において受信地域に適した混合フィルタの設定情報をＰＷＭ信号エンコード部６に入力して変換し、混合器３へ同軸ケーブル９を経由してＰＷＭ信号として伝送し、混合器３に入力されたＰＷＭ信号は混合器３に搭載されたＰＷＭデコード部５によって変換されその信号にもとづき可変混合フィルタ４を制御する。【選択図】  図１
2004328645.tif 000002
【特許請求の範囲】
【請求項１】
２種類の受信アンテナとその受信信号をフィルタリングして混合する混合器と混合器出力と受信機とを接続する同軸ケーブルと本来の受信に必要な受信チューナーに加えて郵便番号をユーザーより取得する手段と混合器のフィルタ設定を行うために必要な信号を作り出す混合フィルタ設定部、その設定情報をＰＷＭ信号に変換するエンコード部を搭載した受信器およびその受信システムにおいて、取得した郵便番号により受信機の設置地域を判断して受信機より同軸ケーブルを介して可変フィルタ機能を搭載した混合器のフィルタを各地域の受信チャンネルに適した設定に遠隔操作して可変させる機能を有した混合フィルタ遠隔可変システム。
【請求項２】
２種類の受信アンテナとその受信信号をフィルタリングして混合する混合器と混合器出力と受信機とを接続する同軸ケーブルと本来の受信に必要な受信チューナーに加えて電話番号の市外局番をユーザーより取得する手段と混合器のフィルタ設定を行うために必要な信号を作り出す混合フィルタ設定部、その設定情報をＰＷＭ信号に変換するエンコード部を搭載した受信器およびその受信システムにおいて、取得した電話番号の市外局番により受信機の設置地域を判断して受信機より同軸ケーブルを介して可変フィルタ機能を搭載した混合器のフィルタを各地域の受信チャンネルに適した設定に遠隔操作して可変させる機能を有した混合フィルタ遠隔可変システム。
【発明の詳細な説明】
【０００１】
【発明の属する技術分野】
この発明は、地上デジタル受信チューナーやテレビなどを代表とする放送受信機とこれらを接続する混合器を含んだ受信システムに関するものである。
【０００２】
【従来の技術】
従来の遠隔調整装置では、アンテナの可変インピーダンス素子を調整するために直流電源電圧を２種類用意してアンテナ給電部と受信機間に接続した同軸ケーブルを介して直流電源電圧をもとに可変インピーダンス素子を駆動制御を行なっている（例えば特許文献１参照。）。
【０００３】
【特許文献１】
特開２０００−２９５０２５号公報（第３−４頁、第１図）
【０００４】
【発明が解決しようとする課題】
しかしながら、前記従来の遠隔調整装置では調整する目標値または設定値を得る測定手段を有していなければならないという課題があった。
【０００５】
本発明は、前記従来の課題を解決するもので、設置地域のアンテナ、受信環境に適したフィルタ設定を容易に行うことができる混合フィルタ遠隔可変システムを提供することを目的とする。
【０００６】
【課題を解決するための手段】
前記従来の課題を解決するために、本発明の混合フィルタ遠隔可変システムは、２種類の受信アンテナとその受信信号をフィルタリングして混合する混合器と混合器出力と受信機とを接続する同軸ケーブルと本来の受信に必要な受信チューナーに加えて郵便番号をユーザーより取得する手段と混合器のフィルタ設定を行うために必要な信号を作り出す混合フィルタ設定部、その設定情報をＰＷＭ信号に変換するエンコード部を搭載した受信器およびその受信システムにおいて、取得した郵便番号により受信機の設置地域を判断して受信機より同軸ケーブルを介して可変フィルタ機能を搭載した混合器のフィルタを各地域の受信チャンネルに適した設定に遠隔操作して可変させる機能を有した混合フィルタ遠隔可変システムであり、本システムによって、受信地域に特有のアンテナや受信環境や受信チャンネルに適した混合器のフィルタに調整、設定することができる。
【０００７】
【発明の実施の形態】
本発明の請求項１に記載の発明は、２種類の受信アンテナとその受信信号をフィルタリングして混合する混合器と混合器出力と受信機とを接続する同軸ケーブルと本来の受信に必要な受信チューナーに加えて郵便番号をユーザーより取得する手段と混合器のフィルタ設定を行うために必要な信号を作り出す混合フィルタ設定部、その設定情報をＰＷＭ信号に変換するエンコード部を搭載した受信器およびその受信システムにおいて、取得した郵便番号により受信機の設置地域を判断して受信機より同軸ケーブルを介してフィルタを可変するために必要な情報を伝送することで、可変フィルタ機能を搭載した混合器のフィルタを各地域の受信チャンネルに適した設定に遠隔操作して可変させる機能を有したことを特徴としたものであり、本システムによって、受信地域に特有のアンテナや受信環境や受信チャンネルに適した設定に混合器のフィルタを調整、設定することが容易にできるという作用を有する。
【０００８】
本発明の請求項２に記載の発明は、２種類の受信アンテナとその受信信号をフィルタリングして混合する混合器と混合器出力と受信機とを接続する同軸ケーブルと本来の受信に必要な受信チューナーに加えて電話番号の市外局番をユーザーより取得する手段と混合器のフィルタ設定を行うために必要な信号を作り出す混合フィルタ設定部、その設定情報をＰＷＭ信号に変換するエンコード部を搭載した受信器およびその受信システムにおいて、取得した電話番号の市外局番により受信機の設置地域を判断して受信機より同軸ケーブルを介してフィルタを可変するために必要な情報を伝送することで、可変フィルタ機能を搭載した混合器のフィルタを各地域の受信チャンネルに適した設定に遠隔操作して可変させる機能を有したことを特徴としたものであり、本システムによって、受信地域に特有のアンテナや受信環境や受信チャンネルに適した設定に混合器のフィルタを調整、設定することが容易にできるという作用を有する。
【０００９】
以下、本発明の実施の形態について、図１、図２を用いて説明する。
【００１０】
（実施の形態１）
図１に本発明の実施の形態１における郵便番号取得機能を有した混合フィルタ遠隔可変システムのブロック図を示す。
【００１１】
図１において、フィルタ機能を搭載した混合器３は、第１の受信アンテナ１と第２の受信アンテナ２の受信信号を入力してフィルタリングして混合するものであり、可変混合フィルタ４とＰＷＭ信号デコード部５により構成される。また受信機側では受信機本来の受信を目的とした受信チューナー１０とは別に、受信機入力に接続されたＰＷＭエンコード部６と混合フィルタ設定部７とユーザーからの郵便番号情報を得るための郵便番号取得部１８によって構成され、前記の混合器３と受信機は同軸ケーブル９によって接続するものとする。
【００１２】
以上のように構成された混合フィルタ遠隔可変システムについて、図１を用いてその動作を説明する。第１の受信アンテナ１と第２の受信アンテナ２で受信した受信信号は混合器３にそれぞれ入力される。混合器３において、その信号は可変混合フィルタ４に入力されるが、第１の受信アンテナ１と第２の受信アンテナ２を混合するためにフィルタリングする必要があり、そのフィルタリング機能をも有している。そのフィルタの設定は受信地域に特有のアンテナや受信環境や受信チャンネルに適した設定を行う必要がありその設定は受信地域すなわち受信機の設置場所により調整、可変する必要がある。そのため、受信機側では受信機を使用するユーザーから受信機の設置地域の郵便番号を与えてもらうことにより郵便番号取得部１８にて取得する。その取得された郵便番号をもとに混合フィルタ設定部７において受信地域に適した混合フィルタの設定情報を選定する。混合フィルタ設定部７ではあらかじめ混合フィルタの特性に応じた設定情報を保持しておく必要がある。混合フィルタ設定部７で選定した信号はＰＷＭ信号エンコード部６に入力して変換し、混合器へ同軸ケーブル９を経由してＰＷＭ信号として伝送する。このＰＷＭ信号はアンテナからの受信信号の周波数帯とはまったく異なった周波数帯のキャリア周波数とする。同軸ケーブルにより混合器３に伝送されたＰＷＭ信号は混合器３に搭載されたＰＷＭデコード部５によって変換されその信号にもとづき可変混合フィルタ４を制御する。
【００１３】
（実施の形態２）
図２に本発明の実施の形態２における電話番号取得機能を有した混合フィルタ遠隔可変システムのブロック図を示す。
【００１４】
図２において、フィルタ機能を搭載した混合器３は、第１の受信アンテナ１と第２の受信アンテナ２の受信信号を入力してフィルタリングして混合するものであり、可変混合フィルタ４とＰＷＭ信号デコード部５により構成される。また受信機側では受信機本来の受信を目的とした受信チューナー１０とは別に、受信機入力に接続されたＰＷＭエンコード部６と混合フィルタ設定部７とユーザーからの電話番号の市外局番情報を得るための電話番号取得部２８によって構成され、前記の混合器３と受信機は同軸ケーブル９によって接続するものとする。
【００１５】
以上のように構成された混合フィルタ遠隔可変システムについて、図２を用いてその動作を説明する。第１の受信アンテナ１と第２の受信アンテナ２で受信した受信信号は混合器３にそれぞれ入力される。混合器３において、その信号は可変混合フィルタ４に入力されるが、第１の受信アンテナ１と第２の受信アンテナ２を混合するためにフィルタリングする必要があり、そのフィルタリング機能をも有している。そのフィルタの設定は受信地域に特有のアンテナや受信環境や受信チャンネルに適した設定を行う必要がありその設定は受信地域すなわち受信機の設置場所により調整、可変する必要がある。そのため、受信機側では受信機を使用するユーザーから受信機の設置地域の電話番号の市外局番を与えてもらうことにより電話番号取得部２８にて取得する。その取得された電話番号の市外局番をもとに混合フィルタ設定部７において受信地域に適した混合フィルタの設定情報を選定する。混合フィルタ設定部７ではあらかじめ混合フィルタの特性に応じた設定情報を保持しておく必要がある。混合フィルタ設定部７で選定した信号はＰＷＭ信号エンコード部６に入力して変換し、混合器へ同軸ケーブル９を経由してＰＷＭ信号として伝送する。このＰＷＭ信号はアンテナからの受信信号の周波数帯とはまったく異なった周波数帯のキャリア周波数とする。同軸ケーブルにより混合器３に伝送されたＰＷＭ信号は混合器３に搭載されたＰＷＭデコード部５によって変換されその信号にもとづき可変混合フィルタ４を制御する。
【００１６】
【発明の効果】
以上のように、本発明の混合フィルタ遠隔可変システムによれば、地上デジタル受信チューナーやテレビなどを代表とする放送受信機とこれらに接続する混合器を含んだ受信システムにおいて、受信地域に特有のアンテナや受信環境や受信チャンネルに適した設定に混合器のフィルタを調整、設定することが容易にできる。
【図面の簡単な説明】
【図１】本発明の実施の形態１における郵便番号取得機能を有した混合フィルタ遠隔可変システムの構成を示すブロック図
【図２】本発明の実施の形態２における電話番号取得機能を有した混合フィルタ遠隔可変システムの構成を示すブロック図
【符号の説明】
１  第１の受信アンテナ
２  第２の受信アンテナ
３  混合器
４  可変混合フィルタ
５  ＰＷＭ信号デコード部
６  ＰＷＭ信号エンコード部
７  混合フィルタ設定部
９  同軸ケーブル
１０  受信チューナー
１８  郵便番号取得部
２８  電話番号取得部
【図１】
2004328645.tif 000003
【図２】
2004328645.tif 000004